(57)【要約】  経済統計データによって形成されたグラフを見やすく、かつ適切な相互比較がしやすい態様で容易かつ迅速にディスプレイ上に表示する。Ｗｅｂサーバとしてのグラフ表示装置２の指標毎コンテンツ保管部２２２には、経済統計データに基づいて形成したグラフと属性情報とを含む指標データ２５１・・・として複数記録する。グラフ表示装置２はクライアント端末１のＷｅｂブラウザ１３１にグラフを表示させるグラフ表示部２１１と、表示可能な個々のグラフに対応付けられた複数のグラフ呼出ボタンを複数整列させてＷｅｂブラウザ１３１に表示させる呼出ボタン表示部２１２と、クライアント端末１からの指示に基づいて、呼出ボタンに関連付けられたグラフに置換するグラフ表示切替部２１３とを備える。
2008126245.tif 000002
【特許請求の範囲】
【請求項１】
ネットワークを介して接続されたクライアント端末の表示手段に経済統計データに基づいて形成された複数のグラフを表示させるグラフ表示装置において、
前記経済統計データに基づいて形成されたグラフ及び該グラフの属性情報が記録された記録手段と、
該記録手段に記録された前記グラフを前記表示手段に設けられたグラフ表示領域の特定位置に表示させるグラフ表示手段と、
前記グラフ表示領域に表示可能な個々の前記グラフに対応付けられた前記グラフを前記グラフ表示領域に表示させるためのグラフ呼出ボタンを、前記クライアント端末の前記表示領域に設けられた呼出ボタン表示領域に複数整列させて表示させる呼出ボタン表示手段と、
前記クライアント端末の操作手段によって入力された任意の前記呼出ボタンに対する呼出指示に基づいて、前記グラフ表示領域に表示されるグラフを前記呼出指示が入力された前記呼出ボタンに関連付けられた前記グラフに置換するグラフ表示切替手段とを備えたことを特徴とするグラフ表示装置。
【請求項２】
前記記録手段には、個々の前記グラフが示す情報の種類等に基づいて形成されたトピック情報であって前記グラフ毎に前記属性情報として関連付けられた前記トピック情報が記録され、
前記呼出ボタン表示手段は、個々の前記グラフに関連付けられた前記トピック情報を前記呼出ボタンに対応付けて前記呼出ボタン表示領域に表示させ、
前記グラフ表示切替手段は、前記呼出指示のあった前記呼出ボタンに対応付けられた前記属性情報に基づいて、前記グラフ表示領域に表示されるグラフを前記属性情報に関連付けられた前記グラフに置換することを特徴とする請求項１に記載のグラフ表示装置。
【請求項３】
前記呼出ボタンに対する前記呼出指示は、前記クライアント端末の前記操作手段の操作による前記表示手段上に表示されたマウスカーソルの前記呼出ボタンに対するマウスオーバーであることを特徴とする請求項２に記載のグラフ表示装置。
【請求項４】
前記グラフ表示手段は、前記クライアント端末の操作手段から入力された、任意の前記グラフの表示状態を継続させる旨の指示に基づいて、該指示の対象となった前記グラフの表示を継続させることを特徴とする請求項１乃至３の何れか一つに記載のグラフ表示装置。
【請求項５】
前記グラフ表示手段は、予め対応付けられた複数のグラフを前記グラフ表示領域に同時に表示させることを特徴とする請求項１乃至４の何れか一つに記載のグラフ表示装置。
【請求項６】
前記グラフ表示手段は横軸の座標が時間情報であるグラフを形成し、前記グラフ表示手段は、前記グラフ表示領域において同一位置に表示される前記グラフを前記横軸の位置及びスケールが全て略同一になるように表示させることを特徴とする請求項１乃至５の何れか一つに記載のグラフ表示装置。
【請求項７】
前記グラフ表示手段は、前記グラフ表示領域において同一位置に表示される前記グラフを、前記縦軸の位置及び長さが略同一になるように表示させることを特徴とする請求項１乃至６の何れか一つに記載のグラフ表示装置。
【請求項８】
前記記録手段には、複数の前記トピック情報を包含する、前記グラフ毎に前記属性情報として関連付けられたカテゴリ情報が記録され、
前記グラフ表示領域及び前記トピック表示領域を含むカテゴリ表示領域を前記クライアント端末の前記表示領域に表示させるカテゴリ情報表示手段と、
前記クライアント端末の操作手段から入力された、任意の前記カテゴリ情報に対する表示指示に基づいて、前記カテゴリ表示領域に表示される前記カテゴリ情報を前記表示指示の対象となった前記カテゴリ情報に置換するカテゴリ表示切替手段とを備えたことを特徴とする請求項２乃至７の何れか一つに記載のグラフ表示装置。
【請求項９】
前記記録手段に記録された前記グラフについて、該グラフが示す情報の詳細を表す情報であって前記グラフ毎に前記属性情報として関連付けられた詳細情報を前記クライアント端末の操作手段からの指示に基づいて前記クライアント端末の前記表示手段に表示させる詳細情報表示手段を備えたことを特徴とする請求項１乃至８の何れか一つに記載のグラフ表示装置。
【請求項１０】
コンピュータを請求項１乃至９の何れか一つに記載のグラフ表示装置として機能させることを特徴とするプログラム。
【発明の詳細な説明】
【技術分野】
【０００１】
本発明は、金融、証券、産業、商業、工業等の経済統計データをコンピュータインターフェース上に表示する技術に関する。
【背景技術】
【０００２】
金融、証券、産業、商業、工業等の分野における経済活動の統計によって形成された経済統計情報は、投資家や、金融・証券業者等の専門家、また、株式、債券等の有価証券の募集・売り出しや、ＭＡ、投融資等の金融取引の主体となる法人や個人（以下「投資家等」と称する。）等にとって、自らが投資を行う際の判断材料や金融商品を提供する際の判断材料とする上で重要度が高い。近年は個人投資家が増加する傾向にあり、多種多様な投資家等に的確な判断材料を提供する必要性が高まっている。そして、経済統計情報をデータ化した経済統計データ（以下単に「経済統計データ」と称する。本明細書において同じ。）を集積・管理し、インターネット等を介して利用者に提供するデータベースサービスが存在する。データベースサービスの利用者は、取得したデータを必要に応じて適宜加工・演算を施し、得られたデータをグラフや表に表して利用する。【０００３】
従来、サーバ側のデータベースに蓄積された経済統計データを投資家等の利用するコンピュータ端末のデータベースにダウンロードし、ディスプレイに表示する技術が存在する（例えば、特許文献１参照）。
【特許文献１】特開平１０−３２０４６９号公報
【発明の開示】
【発明が解決しようとする課題】
【０００４】
ここで、一般に経済統計データは情報項目数、情報量共に多く、単にデータを情報をディスプレイに表示してもそこから必要な情報を読み取るためには高度な専門知識を要する場合が多い。しかし、引用文献１に記載の発明において一度に画像表示されるグラフは一つのみであり、別の銘柄を表示させる際にはディスプレイ上に一つ存在する検索ボタンをクリックしなければならず、複数の経済統計情報を比較対照する作業に多大な労力と時間を要する。のみならず、資料の論理的な分析を行うためには単に一つのグラフだけでなく複数のグラフを関連付けて見ていかねばならないが、この関連付けるグラフの選択がまさにプロのみが知るところである。そして、引用文献１に記載の発明は、ディスプレイに表示される資料を利用者が理解するために必要な情報を提示するための構成を有しておらず、実際に利用できるのは高度な専門知識を有するアナリストや一部の投資家等のみに限定されてしまうという問題がある。【０００５】
本発明はこのような問題に鑑みてなされたものであり、経済統計データによって形成されたグラフを見やすく、かつ適切な相互比較がしやすい態様で容易かつ迅速にディスプレイ上に表示できて、多種多様な投資家等のユーザビリティを向上させるグラフ表示システムを提供することを課題としている。
【課題を解決するための手段】
【０００６】
上記課題を解決するために、請求項１に記載の発明は、ネットワークを介して接続されたクライアント端末の表示手段に経済統計データに基づいて形成された複数のグラフを表示させるグラフ表示装置において、前記経済統計データに基づいて形成されたグラフ及び該グラフの属性情報が記録された記録手段と、該記録手段に記録された前記グラフを前記表示手段に設けられたグラフ表示領域の特定位置に表示させるグラフ表示手段と、前記グラフ表示領域に表示可能な個々の前記グラフに対応付けられた前記グラフを前記グラフ表示領域に表示させるためのグラフ呼出ボタンを、前記クライアント端末の前記表示領域に設けられた呼出ボタン表示領域に複数整列させて表示させる呼出ボタン表示手段と、前記クライアント端末の操作手段によって入力された任意の前記呼出ボタンに対する呼出指示に基づいて、前記グラフ表示領域に表示されるグラフを前記呼出指示が入力された前記呼出ボタンに関連付けられた前記グラフに置換するグラフ表示切替手段とを備えたことを特徴とする。【０００７】
請求項２に記載の発明は、請求項１に記載の構成に加え、前記記録手段には、個々の前記グラフが示す情報の種類等に基づいて形成されたトピック情報であって前記グラフ毎に前記属性情報として関連付けられた前記トピック情報が記録され、前記呼出ボタン表示手段は、個々の前記グラフに関連付けられた前記トピック情報を前記呼出ボタンに対応付けて前記呼出ボタン表示領域に表示させ、前記グラフ表示切替手段は、前記呼出指示のあった前記呼出ボタンに対応付けられた前記属性情報に基づいて、前記グラフ表示領域に表示されるグラフを前記属性情報に関連付けられた前記グラフに置換することを特徴とする。【０００８】
請求項３に記載の発明は、請求項２に記載の構成に加え、前記呼出ボタンに対する前記呼出指示は、前記クライアント端末の前記操作手段の操作による前記表示手段上に表示されたマウスカーソルの前記呼出ボタンに対するマウスオーバーであることを特徴とする。【０００９】
請求項４に記載の発明は、請求項１乃至３の何れか一つに記載の構成に加え、前記グラフ表示手段は、前記クライアント端末の操作手段から入力された、任意の前記グラフの表示状態を継続させる旨の指示に基づいて、該指示の対象となった前記グラフの表示を継続させることを特徴とする。【００１０】
請求項５に記載の発明は、請求項１乃至４の何れか一つに記載の構成に加え、前記グラフ表示手段は、予め対応付けられた複数のグラフを前記グラフ表示領域に同時に表示させることを特徴とする。【００１１】
請求項６に記載の発明は、請求項１乃至５の何れか一つに記載の構成に加え、前記グラフ表示手段は横軸の座標が時間情報であるグラフを形成し、前記グラフ表示手段は、前記グラフ表示領域において同一位置に表示される前記グラフを前記横軸の位置及びスケールが全て略同一になるように表示させることを特徴とする。【００１２】
請求項７に記載の発明は、請求項１乃至６の何れか一つに記載の構成に加え、前記グラフ表示手段は、前記グラフ表示領域において同一位置に表示される前記グラフを、前記縦軸の位置及び長さが略同一になるように表示させることを特徴とする。【００１３】
請求項８に記載の発明は、請求項２乃至７の何れか一つに記載の構成に加え、前記記録手段には、複数の前記トピック情報を包含する、前記グラフ毎に前記属性情報として関連付けられたカテゴリ情報が記録され、前記グラフ表示領域及び前記トピック表示領域を含むカテゴリ表示領域を前記クライアント端末の前記表示領域に表示させるカテゴリ情報表示手段と、前記クライアント端末の操作手段から入力された、任意の前記カテゴリ情報に対する表示指示に基づいて、前記カテゴリ表示領域に表示される前記カテゴリ情報を前記表示指示の対象となった前記カテゴリ情報に置換するカテゴリ表示切替手段とを備えたことを特徴とする。【００１４】
請求項９に記載の発明は、請求項１乃至８の何れか一つに記載の構成に加え、前記記録手段に記録された前記グラフについて、該グラフが示す情報の詳細を表す情報であって前記グラフ毎に前記属性情報として関連付けられた詳細情報を前記クライアント端末の操作手段からの指示に基づいて前記クライアント端末の前記表示手段に表示させる詳細情報表示手段を備えたことを特徴とする。【００１５】
請求項１０に記載の発明は、プログラムであって、コンピュータを請求項１乃至９の何れか一つに記載のグラフ表示装置として機能させることを特徴とする。
【発明の効果】
【００１６】
請求項１に記載の発明によれば、経済統計データに基づいて形成されたグラフ及び該グラフの属性情報が記録された記録手段を設けたことにより、経済統計データを視覚的に把握し易いグラフ情報としてクライアント端末に提供することができる。また、記録手段に記録されたグラフを表示手段に設けられたグラフ表示領域の特定位置に表示させるグラフ表示手段を設けたことにより、経済統計データに基づくグラフをクライアント端末に表示させることができる。また、グラフ表示領域に表示可能な個々のグラフに対応付けられたグラフをグラフ表示領域に表示させるためのグラフ呼出ボタンを、クライアント端末の表示領域に設けられた呼出ボタン表示領域に複数整列させて表示させる呼出ボタン表示手段を備えたことにより、複数のグラフのうち表示させたいグラフを迅速かつ的確に選択して表示させることができる。また、置換されたグラフは必ずグラフ表示領域の特定領域に表示されることになるため、複数のグラフの視覚的、感覚的な比較対照が行いやすくなる。また、複数のグラフのうち必要なグラフだけをグラフ表示領域に表示させることができるので、比較対照させるグラフの数が多くても、表示手段上に見やすく表示させることができる。これにより、経済統計データによって形成されたグラフを見やすく、かつ適切な相互比較がしやすい態様で容易かつ迅速にグラフ表示領域上に表示できて、多種多様な投資家等のユーザビリティを向上させることができる。【００１７】
請求項２に記載の発明によれば、記録手段には、個々のグラフが示す情報の種類等に基づいて形成されたトピック情報であってグラフ毎に属性情報として関連付けられたトピック情報が記録され、呼出ボタン表示手段は、個々のグラフに関連付けられたトピック情報を呼出ボタンに対応付けて呼出ボタン表示領域に表示させ、グラフ表示切替手段は、呼出指示のあった呼出ボタンに対応付けられた属性情報に基づいて、グラフ表示領域に表示されるグラフを属性情報に関連付けられたグラフに置換することにより、グラフの意味内容に密接に関連する情報であるトピック情報を個々の呼出ボタンに表示させて、クライアント端末を利用する投資家等は、この表示されたトピック情報を見ながら所望のグラフをグラフ表示領域に表示させることが可能になる。これにより、一層迅速かつ容易にグラフの選択が行なえて、多種多様な投資家等のユーザビリティを一層向上させることができる。【００１８】
請求項３に記載の発明によれば、呼出ボタンに対する呼出指示は、クライアント端末の操作手段の操作による表示手段上に表示されたマウスカーソルの呼出ボタンに対するマウスオーバーであることにより、整列された呼出ボタン上をマウスカーソルのマウスオーバーさせることで迅速にグラフを置換させることが可能になり、更に、複数の呼出ボタン上をマウスカーソルで連続的にマウスオーバーさせていくことによって、表示手段上に表示されるグラフを連続的かつスピーディに切り替えることができる。これにより、一層迅速かつ容易にグラフの選択が行なえて、多種多様な投資家等のユーザビリティを一層向上させることができる。【００１９】
請求項４に記載の発明によれば、グラフ表示手段は、クライアント端末の操作手段から入力された、任意のグラフの表示状態を継続させる旨の指示に基づいて、指示の対象となったグラフの表示を継続させることにより、長時間グラフ表示領域に表示させる必要のあるグラフの表示状態を確実に継続させることができ、多種多様な投資家等のユーザビリティを一層向上させることができる。【００２０】
請求項５に記載の発明によれば、グラフ表示手段は、予め対応付けられた複数のグラフをグラフ表示領域に同時に表示させることにより、関連性の高いグラフ同士を一のグラフ表示領域上に同時に表示させることができる。これにより、関連性の高いグラフ相互間の比較対照を一層容易にし、多種多様な投資家等のユーザビリティを一層向上させることができる。【００２１】
請求項６に記載の発明によれば、グラフ表示手段は横軸の座標が時間情報であるグラフを形成し、グラフ表示手段は、グラフ表示領域において同一位置に表示されるグラフを横軸の位置及びスケールが全て略同一になるように表示させることにより、時系列データである経済統計データのグラフにおいて、グラフ表示領域に表示される際の時間軸のスケールと、表示位置とを全て略一致させることができる。これにより、グラフ表示領域に表示される全てのグラフの時間情報を揃えた状態で、グラフ相互間の情報を視覚的に容易に比較対照することが可能になって、グラフ相互間の視覚的、感覚的な比較対照を一層容易にし、多種多様な投資家等のユーザビリティを一層向上させることができる。【００２２】
請求項７に記載の発明によれば、グラフ表示手段は、グラフ表示領域において同一位置に表示されるグラフを、縦軸の位置及び長さが略同一になるように表示させることにより、グラフ表示領域に同一位置に表示させるグラフの高さ方向大きさを全て略一致させることができる。これにより、グラフ相互間の視覚的、感覚的な比較対照を一層容易にし、多種多様な投資家等のユーザビリティを一層向上させることができる。【００２３】
請求項８に記載の発明によれば、記録手段には、複数のトピック情報を包含する、グラフ毎に属性情報として関連付けられたカテゴリ情報が記録され、グラフ表示領域及びトピック表示領域を含むカテゴリ表示領域をクライアント端末の表示領域に表示させるカテゴリ情報表示手段と、クライアント端末の操作手段から入力された、任意のカテゴリ情報に対する表示指示に基づいて、カテゴリ表示領域に表示されるカテゴリ情報を表示指示の対象となったカテゴリ情報に置換するカテゴリ表示切替手段とを備えたことにより、グラフの意味内容ごとに複数のグループに分けてクライアント端末にグラフを表示させることが可能になる。また、投資家等は、グラフの意味内容に密接に関連する情報であるカテゴリ情報によって所望の情報を検索することが可能になる。これにより、一層迅速かつ容易にグラフの選択が行なえて、多種多様な投資家等のユーザビリティを一層向上させることができるのみならず、複雑な経済統計データを金融商品に即したカテゴリとトピックに整理でき、投資家等は投資判断に必要な情報を容易に得られ、的確に判断することができる。【００２４】
請求項９に記載の発明によれば、記録手段に記録されたグラフについて、グラフが示す情報の詳細を表す情報であってグラフ毎に属性情報として関連付けられた詳細情報をクライアント端末の操作手段からの指示に基づいてクライアント端末の表示手段に表示させる詳細情報表示手段を備えたことにより、投資家等はグラフの示す情報の詳細や関連情報を容易に把握し、投資の如何を判断することができる。これにより、多種多様な投資家等のユーザビリティを一層向上させることができる。【００２５】
請求項１０に記載の発明によれば、本発明をプログラム化することにより、多様なコンピュータハードウェア上で本発明を実現させることができる。
【図面の簡単な説明】
【００２６】
【図１】本実施形態のグラフ表示装置のシステム構成図及び機能ブロック図である。
【図２】同上グラフ表示装置における、グラフ表示装置に記録された指標データのデータ構造のイメージ図である。
【図３】同上グラフ表示装置における、メニューコンテンツ画面（初期画面）のイメージ図である。
【図４】同上グラフ表示装置における、（ａ）初期画面から「経済全般」のカテゴリ別画面を表示させる手順のフローチャート、（ｂ）初期画面から「株式・産業」のカテゴリ別画面を表示させる手順のフローチャート、（ｃ）初期画面から「金利・為替」のカテゴリ別画面を表示させる手順のフローチャート、（ｄ）初期画面から「商品・不動産」のカテゴリ別画面を表示させる手順のフローチャートである。
【図５】同上グラフ表示装置における、カテゴリ別画面を表示させる際の初期処理の手順を示すフローチャートである。
【図６】同上グラフ表示装置における、Ｗｅｂブラウザに表示されるカテゴリ別画面のイメージ図である。
【図７】同上グラフ表示装置における、（ａ）カテゴリ別画面においてカーソルが呼出ボタン上を移動する際の手順を示すフローチャート、（ｂ）カテゴリ別画面においてカーソルによって呼出ボタンをクリックした際の手順を示すフローチャートである。
【図８】同上グラフ表示装置における、Ｗｅｂブラウザに表示されるカテゴリ別画面のイメージ図である。
【図９】同上グラフ表示装置における、（ａ）グラフ表示領域に簡易解説情報を表示させる際の手順を示すフローチャート、（ｂ）グラフ表示領域上に簡易解説情報が表示された状態において、マウスカーソルがグラフ上から離れたときの処理手順を示すフローチャート、（ｃ）グラフ表示領域上に表示されたグラフのプロットエリアがクリックされたときの処理手順を示すフローチャートである。
【図１０】同上グラフ表示装置における、Ｗｅｂブラウザ上に表示されるグラフ表示領域上に簡易解説情報が表示された状態を示すイメージ図である。
【図１１】同上グラフ表示装置における、Ｗｅｂブラウザ上に表示される詳細情報のイメージ図である。
【発明を実施するための最良の形態】
【００２７】
以下、本発明の実施形態について、図１乃至図１１を用いて説明する。
【実施例１】
【００２８】
図１は、本実施形態のグラフ表示装置を用いたシステムのシステム構成図及び機能ブロック図である。同図に示すとおり、グラフ表示システム１Ａは、クライアント・サーバシステムであって、クライアント側にクライアント端末１１，１２，・・・１ｎ（ｎ＞１）、サーバ側にグラフ表示装置２、指標別コンテンツ生成システム３、データベースログ統計処理システム４、データベースサーバ５を備えている。グラフ表示装置２、指標別コンテンツ生成システム３、データベースログ統計処理システム４、データベースサーバ５は図示せぬインターフェース部によって相互に接続されており、クライアント端末１１，１２，・・・１ｎ（ｎ＞１）とグラフ表示装置２とはインターネット６に接続されている。なお、クライアント端末１１，１２，・・・１ｎは同様の構成を取るので、以下説明の簡単のため、特に区別の必要がある場合を除きクライアント端末１と記載する。【００２９】
クライアント端末１は、パーソナルコンピュータ、ワークステーション、携帯電話端末等、ネットワーク接続可能なコンピュータである。クライアント端末１は、制御部１１と、「操作手段」としての操作部１２と、「表示手段」としての表示部１３と、記憶部１４と、通信インターフェース（Ｉ／Ｆ）部１５とを有する（図１中には図示しないが、クライアント端末１２，・・・１ｎもこれらの構成を有する。）。【００３０】
制御部１１はＣＰＵ（Central Processing Unit、中央演算装置）を備え、記憶部１４に記録されたＯＳ（Operating System）プログラムや各種アプリケーションプログラム等の演算処理を行い、クライアント端末１における処理全体を制御する。【００３１】
操作部１２は、マウス、キーボード等であり、各種指示を入力するために用いられる。表示部１３はＬＣＤ（Liquid Crystal Display）等からなり、操作部１２から入力された各種指示等や各種画像を表示する。表示部１３には、ＨＴＴＰ（Hyper Text Transfer Protocol）通信によってサーバから情報を取り寄せて画像表示させるＷｅｂブラウザ１３１が表示される。【００３２】
記憶部１４は、ローディングプログラム等が予め格納されたＲＯＭ、プログラムやデータを一時的に記憶し制御部１１（ＣＰＵ）の作業領域として機能するＲＡＭ、書き換えに必要なデータを格納するＥＥＰＲＯＭ、各種ファイルデータ等を記憶するハードディスク等から構成されている。ハードディスクには、ＯＳプログラムや、各種アプリケーションプログラムが記録される。【００３３】
通信インターフェース部１５は、ＵＴＰケーブルポートや光ケーブルポート、及び各種デバイスドライバであり、ＬＡＮケーブルや光ケーブルを接続すると共にグラフ表示装置２との間でデータ通信を行うために必要な処理を行う。【００３４】
一方、グラフ表示装置２はＷｅｂサーバであり、クライアント端末１の制御部１１と同様の制御部２１と、同じく記憶部１４と同様の記憶部２２と、同じく通信インターフェース部１５と同様の通信インターフェース部２３ａ，２３ｂとを有している。【００３５】
制御部２１には記憶部２２に記録されたメニューコンテンツ（後述）に含まれるアプリケーションプログラム等により、機能手段として「グラフ表示手段」としてのグラフ表示部２１１、「呼出ボタン表示手段」としての呼出ボタン表示部２１２、「グラフ表示切替手段」としてのグラフ表示切替部２１３、「カテゴリ情報表示手段」としてのカテゴリ情報表示部２１４、「カテゴリ表示切替手段」としてのカテゴリ表示切替部２１５、「詳細情報表示手段」としての詳細情報表示部２１６とが形成される。【００３６】
グラフ表示部２１１は記憶部２２の指標毎コンテンツ保管部（後述）に記録された指標データ（後述）中のグラフをクライアント端末１の表示部１３に設けられたグラフ表示領域（後述）の特定位置に表示させる。【００３７】
呼出ボタン表示部２１２は、グラフ表示部２１１に表示可能な個々のグラフに対応付けられた呼出ボタン（後述）をクライアント端末１の表示領域（後述）に設けられた呼出ボタン表示領域（後述）に複数整列させて表示させる。【００３８】
グラフ表示切替部２１３は、クライアント端末１の操作部１２によって入力された任意の呼出ボタン（後述）に対する呼出指示に基づいて、グラフ表示領域に表示されるグラフを呼出指示が入力された呼出ボタン（後述）に関連付けられたグラフに置換する。【００３９】
カテゴリ情報表示部２１４は、グラフ表示領域（後述）及びトピック表示領域（後述）を含むカテゴリ表示領域をクライアント端末１の表示領域（後述）に表示させる。【００４０】
カテゴリ表示切替部２１５は、クライアント端末１の操作部１２から入力された、任意のカテゴリ情報に対する表示指示に基づいて、カテゴリ表示領域（後述）に表示されるカテゴリ情報を表示指示の対象となったカテゴリ情報に置換する。【００４１】
詳細情報表示部２１６は、クライアント端末１からの指示に基づいて詳細情報（後述）をクライアント端末１の操作部１２からの指示に基づいてクライアント端末１の表示部１３に表示させる。【００４２】
なお、グラフ表示部２１１、呼出ボタン表示部２１２、グラフ表示切替部２１３、カテゴリ情報表示部２１４、カテゴリ表示切替部２１５、詳細情報表示部２１６は、一部の機能をクライアント端末１上において実現するものであってもよい。【００４３】
記憶部２２には、メニューコンテンツ２２１が記録され、また「記録手段」としての指標毎コンテンツ保管部２２２が形成されている。【００４４】
メニューコンテンツ２２１は、クライアント端末１のＷｅｂブラウザ１３１に画面構成を行い各種データを表示させるための、ＨＴＭＬ形式で記載されたデータやプログラムであって、上述した機能手段としてのグラフ表示部２１１、呼出ボタン表示部２１２、グラフ表示切替部２１３、カテゴリ情報表示部２１４、カテゴリ表示切替部２１５、詳細情報表示部２１６はこのプログラム等に基づいて形成される。【００４５】
指標毎コンテンツ保管部２２２には、クライアント端末１に表示されるデータの基準となる集合体としての、複数の指標データ（以下単に「指標データ」と称する。）２５１，２５２，・・・２５ｍ（ｍ＞１）が記録されている。なお、指標データ２５１，２５２，・・・２５ｍはいずれも同様の構成をとるので、説明の簡単のため、以下区別の必要がある場合を除き指標データ２５と記載する。【００４６】
図２は、この指標データのデータ構造のイメージ図である。同図に示す通り、一の指標データ２５は、カテゴリ情報２５１、トピック情報２５２、グラフデータ２５３、グラフタイトル２５４、系列ポイント情報２５５、ＩＤ情報２５６、詳細情報２５７、簡易解説情報２５８を有している。グラフデータ２５３は第一グラフデータ２５３１、第二グラフデータ２５３２、第三グラフデータ２５３３、第四グラフデータ２５３４を有し、グラフタイトル２５４は第一グラフタイトル２５４１、第二グラフタイトル２５４２、第三グラフタイトル２５４３、第四グラフタイトル２５４４を有している。一の指標データ２５のカテゴリ情報２５１には複数個のトピック情報２５２が関連付けられ、一のトピック情報にはグラフデータ２５３に含まれる第一グラフデータ２５３１，第二グラフデータ２５３２，第三グラフデータ２５３３，第四グラフデータ２５３４が関連付けられている。各グラフデータ２５３１〜２５３４にはそれぞれ第一〜第四グラフタイトル２５４１〜２５４４が関連付けられ、一のグラフデータ、例えば第一グラフデータ２５３１には複数個（この個数については後述する）の系列ポイント情報２５５が関連付けられ、一の系列ポイント情報２５５には一のＩＤ情報２５６、一の詳細情報２５７、一の簡易解説情報２５８がそれぞれ関連付けられている。カテゴリ情報２５１、トピック情報２５２、詳細情報２５７、簡易解説情報２５８は各グラフデータ２５３１〜２５３４に含まれるグラフである第一グラフ、第二グラフ、第三グラフ、第四グラフ（いずれも後述）の属性情報として構成されている。なお、第二グラフデータ２５３２、第三グラフデータ２５３３、第四グラフデータ２５３４にも、第一グラフデータ２５３１と同様に、ＩＤ情報２５６、詳細情報２５７、簡易解説情報２５８が関連付けられた系列ポイント情報２５５がそれぞれ関連付けられているが、図２においては記載が省略してある。【００４７】
カテゴリ情報２５１は、グラフ表示装置２が扱う経済統計データの分類項目のうち最上位の概念を形成しており、本実施の形態においては「経済全般」「株式・産業」「金利・為替」「商品・不動産」の４カテゴリを有している。【００４８】
トピック情報２５２は一のカテゴリ情報２５１に含まれる細項目の情報である。【００４９】
第一〜第四グラフデータ２５３１〜２５３４は、画像データとしてのグラフと指標毎コンテンツ保管部２２２における当該グラフの名称を示すファイル名情報とから成る。具体的には、例えば第一グラフデータ２５３１は、４つの関連性の高い経済統計データの項目（例えば、同一業種における株価、利益、経営者マインド、事業活動、等）のうちの一つを画像データ化した「グラフ」としての第一グラフ２５３１ａと、第一グラフ２５３１ａの名称を示す第一ファイル名情報２５３１ｂとから成っている。同様に、第二グラフデータ２５３２は、第一グラフ２５３１ａと同様の画像データである「グラフ」としての第二グラフ２５３２ａと、第二グラフ２５３２ａの名称を示す第二ファイル名情報２５３２ｂとから成り、第三グラフ２５３３ａは、第一グラフ２５３１ａと同様の画像データである「グラフ」としての第三グラフ２５３３ａと、第三グラフ２５３３ａの名称を示す第三ファイル名情報２５３３ｂとから成り、第四グラフ２５３４ａは、第一グラフ２５３１ａと同様の画像データである「グラフ」としての第四グラフ２５３４ａと、第四グラフ２５３４ａの名称を示す第四ファイル名情報２５３４ｂとから成る。なお、第一〜第四ファイル名情報２５３１ｂ〜２５３４ｂには、指標毎コンテンツ保管部２２２における第一〜第四グラフ２５３１ａ〜２５３４ａの物理的な格納位置を示すアドレス情報も含まれている。【００５０】
第一グラフ２５３１ａ、第二グラフ２５３２ａ、第三グラフ２５３３ａ、第四グラフ２５３４ａには、グラフで表示された系列や、折れ線グラフ上、棒グラフ上の時点を特定する地点等に複数のポイントが設けられている。この実施の形態においては、第一グラフ２５３１ａにはＷ個（Ｗ≧１）のポイントＰ１，Ｐ２，・・・ＰＷ、第二グラフ２５３２ａにはＸ個（Ｘ≧１）のポイントＱ１，Ｑ２，・・・，ＱＸ、第三グラフ２５３３ａにはＹ個（Ｙ≧１）のポイントＲ１，Ｒ２，・・・，ＲＹ、第四グラフ２５３４ａにはＺ個（Ｚ≧１）のポイントＳ１，Ｓ２，・・・，ＳＺが設けられている。【００５１】
第一〜第四グラフタイトル２５４１〜２５４４は、第一〜第四グラフ２５３１ａ〜２５３４ａの表題としてのテキストデータである。【００５２】
系列ポイント情報２５５は、本実施の形態における経済統計データの最小単位としての系列（以下単に「系列」と称する。本明細書において同じ。）を示すデータであり、Ｎ’個（Ｎ’≧１）、即ち、第一〜第四グラフ２５３１ａ〜２５３４ａのポイントＰ１〜ＰＷ，Ｑ１〜ＱＸ，Ｒ１〜ＲＹ，Ｓ１〜ＳＺの数だけ関連付けられている。具体的には、例えば図２に図示する通り、第一グラフデータ２５３１には第一グラフ２５３１ａのポイントＰ１〜ＰＷの数と同じＷ個の系列ポイント情報２５５が関連付けられている。同様に、図２には図示しないが、第二グラフデータ２５３２には第二グラフ２５３２ａのポイントＱ１〜ＱＸの数と同じＸ個の系列ポイント情報２５５が、第三グラフデータ２５３３には第三グラフ２５３３ａのポイントＲ１〜ＲＹの数と同じＹ個の系列ポイント情報２５５が、第四グラフ２５３４ａには第四グラフ２５３４ａのポイントＳ１〜ＳＺの数と同じＺ個の系列ポイント情報２５５が、それぞれ関連付けられている。【００５３】
これらの系列ポイント情報２５５には、ＩＤ情報２５６、詳細情報２５７、簡易解説情報２５８がそれぞれ１個ずつ従属している。【００５４】
ＩＤ情報２５６は各系列ポイント情報２５５を一意に特定するための情報である。【００５５】
詳細情報２５７は個々のポイントＰ１〜ＰＷ，Ｑ１〜ＱＸ，Ｒ１〜ＲＹ，Ｓ１〜ＳＺの示す情報の内容（例えば折れ線グラフや棒グラフの示すもの、折れ線の傾向等）の詳細をテキストデータや画像データとして表したものであり、かかる情報の内容としてのファイルデータ２５７ａと、このファイルデータ２５７ａの名称を含むファイル名情報２５７ｂから成っている。なおファイル名情報２５７ｂには指標毎コンテンツ保管部２２２におけるファイルデータ２５７ａの物理的な格納位置を示すアドレス情報も含まれている。【００５６】
簡易解説情報２５８は、個々のポイントＰ１〜ＰＷ，Ｑ１〜ＱＸ，Ｒ１〜ＲＹ，Ｓ１〜ＳＺの示す情報の概要を簡易なテキストデータとして表したものであり、かかるテキストデータとしてのファイルデータ２５８ａと、このファイルデータ２５８ａの名称を含むファイル名情報２５８ｂから成っている。なおファイル名情報２５８ｂには指標毎コンテンツ保管部２２２におけるファイルデータ２５８ａの物理的な格納位置を示すアドレス情報も含まれている。【００５７】
前述の通り、指標毎コンテンツ保管部２２２にはこのような構造の指標データ２５が複数個（即ちカテゴリ情報２５１の個数分）蓄積されている。【００５８】
なお、第一〜第四グラフデータ２５３１〜２５３４、第一〜第四グラフ２５３１ａ〜２５３４ａ、第一〜第四ファイル名情報２５３１ｂ〜２５３４ｂ、ポイントＰ１〜ＰＷ，Ｑ１〜ＱＸ，Ｒ１〜ＲＹ，Ｓ１〜ＳＺはいずれも基本的に同じ構成を取るので、以下説明の簡単のため、特に区別の必要がある場合を除いてグラフデータ２５３、グラフ２５３ａ、ファイル名情報２５３ｂ、ポイントＰ、ポイントＱ、ポイントＲ、ポイントＳと記載する。【００５９】
図１に戻り、データベースサーバ５には、大量の経済統計データが記録されている。指標データ２５はこのデータベースサーバ５に記録された経済統計データに基づいて形成されている。データベースログ統計処理システム４は、データベースサーバ５に記録された経済統計データの中から所定の条件に基づいて指標データ２５の生成の候補となるデータを自動的に抽出し、候補となるデータの情報をグラフ表示装置２に送信する。指標毎コンテンツ生成システム３は、データベースサーバ５に記録された経済統計データが公表されると、この公表をトリガとして当該公表されたデータに関する指標データ２５の生成や、既存の指標データ２５の更新を行い、更新結果をグラフ表示装置２に送信する。グラフ表示装置２はこの交信結果を指標毎コンテンツ保管部２２２に記録する。【００６０】
図３乃至図１１は、本実施形態のグラフ表示装置における処理手順を示すフローチャート、及び同フローチャートの手順に基づいて形成される画面のイメージ図である。以下、同フローチャート及び同イメージ図に基づいてグラフ表示装置２、グラフ表示システム１Ａの処理内容を説明する。【００６１】
＜初期画面の表示＞
まず、クライアント端末１の利用者は、表示部１３にＷｅｂブラウザ１３１を表示させ、グラフ表示装置２にアクセスする。グラフ表示装置２のグラフ表示部２１１、呼出ボタン表示部２１２、カテゴリ情報表示部２１４は、メニューコンテンツ２２１に基づいて、ＨＴＴＰ通信によってクライアント端末１にメニューコンテンツ画面のデータとプログラムを送信し、Ｗｅｂブラウザ１３１に初期画面としてのメニューコンテンツ画面１６Ａを表示させる。このメニューコンテンツ画面１６Ａはクライアント端末１の利用者が所望の経済統計データのグラフを検索し表示させるための初期画面である。【００６２】
図３にメニューコンテンツ画面のイメージ図を示す。同図に示す通り、メニューコンテンツ画面１６Ａの上端近傍には、カテゴリ情報表示部２１４によって形成される、カテゴリ情報表示部２１４によって、所望のカテゴリ表示領域を選択するための４つのカテゴリタブ１６１１，１６１２，１６１３，１６１４が横一列に並べて表示されている。これらカテゴリタブ１６１１，１６１２，１６１３，１６１４は指標データ２５のカテゴリ情報２５１に対応して形成されるものであり、選択対象としてのカテゴリ表示領域に表示されるカテゴリ名である「経済全般」「株式・産業」「金利・為替」「商品・不動産」が表示されている。カテゴリタブ１６１１，１６１２，１６１３，１６１４の下側には、カテゴリ表示領域１６３ａが形成される。【００６３】
カテゴリ表示領域１６３ａにおける左側には、呼出ボタン表示部２１２によって形成される、「トピック表示領域」としての呼出ボタン表示領域１６２が形成される。【００６４】
カテゴリ表示領域１６３ａにおける右側には、グラフ表示部２１１によって形成される、グラフ表示領域１６３が表示される。グラフ表示領域１６３は更に４つの特定位置に細分化され、それぞれが４つのグラフ表示部、即ち左上の第一グラフ表示領域１６３１、右上の第二グラフ表示領域１６３２、左下の第三グラフ表示領域１６３３、右下の第四グラフ表示領域１６３４として表示されている。各グラフ表示領域１６３１〜１６３４には、後述する通り、指標データ２５の第一〜第四グラフデータ２５３１〜２５３４における第一〜第四グラフ２５３１ａ〜２５３４ａがそれぞれ表示される。各グラフ表示領域１６３１，１６３２，１６３３，１６３４、の上側には指標データ２５のグラフタイトル２５４１〜２５４４が表示される。【００６５】
クライアント端末１の利用者が操作部１２としてのマウス１２１を用いて任意のカテゴリタブ１６１１，１６１２，１６１３，１６１４をクリックすると、カテゴリ表示切替部２１５はメニューコンテンツ画面１６Ａをカテゴリ別画面（後述）に切り替えて、メニューコンテンツ画面１６Ａに表示されていたカテゴリ表示領域１６３ａを表示指示の対象となったカテゴリ表示領域１６３ａに置換する。【００６６】
具体的には、図４の（ａ）のフローチャートに示す通り、「経済全般」タブ１６１１がクリックされると（ステップＳ１１）、カテゴリ表示切替部２１５，カテゴリ表示部２１４は指標毎コンテンツ保管部２２２からカテゴリ情報２５１が「経済全般」である指標データ２５を取得し、「経済全般」のカテゴリ別画面（図示せず）をＷｅｂブラウザ１３１に表示させて、取得した指標データ２５をこのカテゴリ別画面（図示せず）に表示させる（ステップＳ２１）。【００６７】
同様に、同図の（ｂ）〜（ｄ）に示すフローチャートに示す通り、「株式・産業」タブ１６１２がクリックされると（ステップＳ１２）、カテゴリ表示切替部２１５，カテゴリ表示部２１４は指標毎コンテンツ保管部２２２からカテゴリ情報２５１が「株式・産業」である指標データ２５を取得し、図６にイメージ図を示す「株式・産業」のカテゴリ別画面１６ＢをＷｅｂブラウザ１３１に表示させて、取得した指標データ２５をこのカテゴリ別画面１６Ｂに表示させる（ステップＳ２２）。また、「金利・為替」タブ１６１３がクリックされると（ステップＳ１３）、カテゴリ表示切替部２１５，カテゴリ表示部２１４は指標毎コンテンツ保管部２２２からカテゴリ情報２５１が「金利・為替」である指標データ２５を取得し、「金利・為替」のカテゴリ別画面（図示せず）をＷｅｂブラウザ１３１に表示させて、取得した指標データ２５をこのカテゴリ別画面（図示せず）に表示させる（ステップＳ２３）。また、「商品・不動産」タブ１６１４がクリックされると（ステップＳ１４）、カテゴリ表示切替部２１５，カテゴリ表示部２１４は指標毎コンテンツ保管部２２２からカテゴリ情報２５１が「商品・不動産」である指標データ２５を取得し、「商品・不動産」のカテゴリ別画面（図示せず）をＷｅｂブラウザ１３１に表示させて、取得した指標データ２５をこのカテゴリ別画面（図示せず）に表示させる（ステップＳ２４）。【００６８】
なお、「経済全般」のカテゴリ別画面（図示せず）、「金利・為替」のカテゴリ別画面（図示せず）「商品・不動産」のカテゴリ別画面（図示せず）はいずれも図６にイメージ図を示す「株式・産業」のカテゴリ別画面１６Ｂと同様の構成をとり、「株式・産業」のカテゴリ別画面１６Ｂと同様に動作するので、説明の簡単のため、以下の手順は「株式・産業」のカテゴリ別画面１６ＢがＷｅｂブラウザ１３１に表示された場合（ステップＳ２２）に基づいて説明する。【００６９】
＜カテゴリ別メニューコンテンツ画面の初期処理＞
図５は、カテゴリ別画面１６Ｂを表示させる際の初期処理の手順を示すフローチャートである。同図に示す通り、クライアント端末１のＷｅｂブラウザ１３１においてメニューコンテンツ画面１６Ａの「株式・産業」タブ１６１２がクリックされると（ステップＳ２１）、グラフ表示部２１１は指標毎コンテンツ保管部２２２からカテゴリ情報２５１が「株式・産業」の指標データ２５を取得し、当該指標データ２５に基づいて、クライアント端末１の記憶部１４を形成するメモリ（ＲＡＭ）に形成された配列（図示せず）において、ｊ番目（１≦ｊ≦Ｎ）の配列、例えば１番目の配列に、第１番目のトピック情報２５２に関連付けられた下記（１）〜（４）の項目を設定する。
（１）第１番目のトピック情報２５２に関連付けられた第一〜第四グラフデータ２５３１〜２５３４にそれぞれ関連付けられた系列ポイント情報２５５に関連付けられたＮ’個のＩＤ情報２５６
（２）同トピック情報２５２に関連付けられた第一〜第四グラフデータ２５３１〜２５３４の第一〜第四ファイル名情報２５３１ｂ〜２５３４ｂ
（３）同トピック情報２５２に関連付けられたグラフタイトル２５４１〜２５４４
（４）同トピック情報２５２に関連付けられた詳細情報２５７のファイル名情報２５７ｂ【００７０】
各配列への上記（１）〜（４）の事項の設定は、当該指標データ２５に関連付けられたトピック情報２５２の個数分（Ｎ回）繰り返される（ステップＳ２３）。【００７１】
配列への設定が全て完了したら、グラフ表示部２１１は、クライアント端末１のＷｅｂブラウザ１３１に「株式・産業」のカテゴリ別画面を表示させる（ステップＳ２４）。【００７２】
図６に、Ｗｅｂブラウザ１３１に表示されたカテゴリ別画面１６Ｂのイメージ図を示す。同図に示す通り、カテゴリ別画面１６Ｂにおいては、メニューコンテンツ画面１６Ａと同様に、上端近傍に４つのカテゴリタブ１６１１，１６１２，１６１３，１６１４が横一列に並べて表示され、これらカテゴリタブ１６１１〜１６１４の下側にはカテゴリ表示領域１６３ａが形成され、カテゴリ表示領域１６３ａにおける左側には呼出ボタン表示領域１６２が形成され、カテゴリ表示領域１６３ａにおける右側にはグラフ表示領域１６３が表示される。【００７３】
４つのカテゴリタブ１６１１〜１６１４中、メニューコンテンツ画面１６Ａにおいて選択された「株式・産業」タブ１６１２は反転表示される。呼出ボタン表示領域１６２には、指標データ２５に関連付けられたトピック情報２５２の個数分（Ｎ個）の呼出ボタン１６２１，１６２２，・・・，１６２Ｎが、トピック情報の順番で縦一列に整列した状態で表示される。各呼出ボタン１６２１，１６２２，・・・，１６２Ｎは個々のトピック情報２５２に関連付けられおり、「全体」、「（東証）一部」「（東証）二部」・・・等、それぞれが関連付けられたトピック情報が文字情報として表示されている。【００７４】
また、グラフ表示部２１１は、呼出ボタン表示領域１６２の一番上に表示された（即ち第一番目のトピック情報２５２に関連付けられた）第一〜第四グラフ２５３１ａ〜２５３４ａをグラフ表示領域１６３に表示させる。具体的には、第一グラフ表示領域１６３１に第一グラフ２５３１ａ、第二グラフ表示領域１６３２に第二グラフ２５３２ａ、第三グラフ表示領域１６３３に第三グラフ２５３３ａ、第四グラフ表示領域１６３４に第四グラフ２５３４ａを表示させ、更にグラフタイトル２５４１，２５４２，２５４３，２５４４を表示させる。【００７５】
そして、グラフ表示部２１１は、クライアント端末１のメモリに形成された、グラフ２５３ａの表示を継続させる処理（後述）に用いられる呼出ボタン固定フラグを“Ｆａｌｓｅ（当該処理を行わないことを示すための記述のこと。以下同じ）”に、グラフ２５３ａ上にグラフの示す意味などをポップアップ表示させる処理に用いられる簡易解説読み込みフラグを“Ｆａｌｓｅ”に設定する（ステップＳ２５）。【００７６】
＜呼出ボタン上のマウスカーソル処理・１＞
図７は、カテゴリ別画面１６Ｂにおいてマウスカーソル１２１が呼出ボタン１６２１，１６２２，・・・，１６２Ｎ上を移動する際の手順を示すフローチャートである。【００７７】
同図に示す通り、クライアント端末１の操作部１２の操作により、呼出ボタン１６２１，１６２２，・・・，１６２Ｎ上のｋ番目（１≦ｋ≦Ｎ）のボタン、例えば上から８番目の呼出ボタン１６２８上にマウスカーソル１２１が重なってマウスオーバーの状態となった（以下この状態を単に「マウスオーバー」と称する。本明細書において同じ。）とき（ステップＳ３１）、グラフ表示切替部２１２は、現在グラフ表示領域１６３に表示されているグラフを当該マウスカーソル１２１が重なった呼出ボタン１６２８に対応するグラフに置換する。【００７８】
具体的には、クライアント端末１のメモリに形成された呼出ボタン固定フラグが“Ｆａｌｓｅ”である場合（ステップＳ３２の“Ｙｅｓ”）、グラフ表示切替部２１２は、メモリに形成された配列中、マウスカーソル１２１がマウスオーバーとなった、上から８番目の呼出ボタン１６２８に相当する配列に格納された第一ファイル名情報２５３１ｂ〜第四ファイル名情報２５３４ｂに基づいて、指標毎コンテンツ保管部２２２から、対応する第一グラフ２５３１ａ、第二グラフ２５３２ａ、第三グラフ２５３３ａ、第四グラフ２５３４ａのデータを取得し、取得した第一〜第四グラフ２５３１ａ〜２５３４ａを、現在表示されている第一〜第四グラフ２５３１ａ〜２５３４ａに代えて第一〜第四グラフ表示領域１６３１〜１６３２に表示させる（ステップＳ３３）。また、グラフ表示切替部２１２は、第一〜第四グラフ表示領域１６３１〜１６３２に、上から８番目の呼出ボタン１６２８に相当する配列に格納されたグラフタイトル２５４１，２５４２，２５４３，２５４４を第一〜第四グラフ表示領域１６３１〜１６３２に表示させる（ステップＳ３３）。【００７９】
そして、グラフ表示部２１１は全ての呼出ボタン１６２１〜１６２Ｎの背景色を元に戻させる（ステップＳ３４）。これにより、反転表示されていた１番目（一番上）の呼出ボタン１６２１が元の状態に戻る。更に、グラフ表示部２１１はマウスカーソル１２１がマウスオーバーとなった上から８番目の呼出ボタン１６２８を反転表示させる（ステップＳ３３）。また、グラフ表示部２１１はメモリ上に形成された簡易解説読み込みフラグを“Ｆａｌｓｅ”に設定する（ステップＳ３５）。【００８０】
一方、呼出ボタン１６２８上にマウスカーソル１２１が重なったときに呼出ボタン固定フラグが“Ｆａｌｓｅ”ではなかった場合、ステップＳ３３以降の処理は行われない（ステップＳ３２の“Ｎｏ”）。【００８１】
以上の手順により、図８にイメージ図を示すカテゴリ別画面１６Ｂが形成されてＷｅｂブラウザ１３１に表示される。同図に示す通り、マウスカーソル１２１がマウスオーバーとなった上から８番目の呼出ボタン１６２８が反転し、当該呼出ボタン１６２８に示すトピック「鉄鋼」のグラフ２５３ａがグラフ表示領域１６３に表示されている。【００８２】
この状態で、例えばマウスカーソル１２１がマウスオーバーされた９番目の呼出ボタン１６２９、１０番目の呼出ボタン１６２１０、・・・と移動していくと、このマウスカーソル１２１の移動に応じてマウスオーバーされた呼出ボタンが替わり、その度にステップＳ３１〜Ｓ３５の処理が繰り返される。従って、マウスカーソル１２１が呼出ボタン１６２９，１６２１０，・・・上をマウスオーバーしながら移動するにつれて反転表示される呼出ボタン１６２９，１６２１０，・・・が変化し、またグラフ表示領域１６３に表示されるグラフ２５３ａも当該呼出ボタン１６２９，１６２１０，・・・に表示されたトピック（即ちトピック情報２５２）に係るグラフ２５３ａ（即ちマウスカーソル１２１がマウスオーバーした呼出ボタン１６２９，１６２１０、・・・のトピック情報２５２に関連付けられたグラフ２５３ａ）に瞬時かつ順次に変更されていくことになる。これにより、クライアント端末１の表示部１３のＷｅｂブラウザ１３１上に表示される２５３ａを連続的かつスピーディに切り替えることができる。【００８３】
なお、図６，図８に示す通り、グラフ表示部２１１は、カテゴリ別画面１６Ｂのいずれのトピックに係るグラフ表示領域１６３においても、第一グラフ表示領域１６３１〜第四グラフ表示領域１６３４に表示された第一グラフ２５３１ａごと、第二グラフ２５３２ａごと、第三グラフ２５３３ａごと、第四グラフ２５３４ａごとの縦軸位置、横軸位置、縦軸方向の大きさ、横軸方向の大きさ並びにスケールが略同一になるように表示させる。【００８４】
例えば、第一グラフ表示領域１６３１の第一グラフ２５３１ａ、第三グラフ表示領域１６３３の第三グラフ２５３３ａのＹ軸位置は図６、図８のいずれにおいてもＬ１の位置であり、第二グラフ表示領域１６３２の第二グラフ２５３２ａ、第四グラフ表示領域１６３４の第四グラフ２５３４ａのＹ軸位置は図６、図８のいずれにおいてもＬ２の位置である。【００８５】
また、第一グラフ表示領域１６３１の第一グラフ２５３１ａのＸ軸位置、第二グラフ表示領域１６３２の第二グラフ２５３２ａのＸ軸位置は図６においても図８においてもＬ３の位置であり、第三グラフ表示領域１６３３の第三グラフ２５３３ａのＸ軸位置、第四グラフ表示領域１６３４の第四グラフ２５３４ａのＸ軸位置は図６においても図８においてもＬ４の位置である。【００８６】
これにより、図６と図８とをＷｅｂブラウザ１３１上で比較対照させた際、各第一グラフ２５３１ａ同士、第二グラフ２５３２ａ同士、第三グラフ２５３３ａ同士、第四グラフ２５３４ａ同士のＸ軸方向、Ｙ軸方向の位置が一致していることになり、図６と図８の同位置のグラフ２５３ａ同士の比較対照が行いやすくなる。【００８７】
また、第一グラフ表示領域１６３１の第一グラフ２５３１ａのＸ軸上の目盛間隔Ｌ５１，Ｌ５２，Ｌ５３・・・、第二グラフ表示領域１６３２の第二グラフ２５３２ａの目盛間隔Ｌ６１，Ｌ６２，Ｌ６３・・・、第三グラフ表示領域１６３３の第三グラフ２５３３ａの目盛間隔Ｌ７１，Ｌ７２，Ｌ７３・・・、第四グラフ表示領域１６３４の第四グラフ２５３４ａの目盛間隔Ｌ８１，Ｌ８２，Ｌ８３・・・、は図６においても図８においても等しくなっている。つまり、同一位置にあるグラフ２５３ａの時間方向のスケールが等しくなっている。【００８８】
これにより、図６と図８の同位置のグラフ２５３ａ同士の比較対照が更に行いやすくなる。【００８９】
また、第一グラフ表示領域１６３１の第一グラフ２５３１ａのプロットエリアの高さ方向大きさＴ１、第二グラフ表示領域１６３２の第二グラフ２５３２ａのプロットエリアの高さ方向大きさＴ２、第三グラフ表示領域１６３３の第三グラフ２５３３ａのプロットエリアの高さ方向大きさＴ３、第四グラフ表示領域１６３４の第四グラフ２５３４ａのプロットエリアの高さ方向大きさＴ４は、図６においても図８においても等しくなっている。つまり、同一位置にあるグラフ２５３ａの高さ方向大きさが等しくなっている。【００９０】
これにより、図６と図８の同位置のグラフ２５３ａ同士の比較対照が更に行いやすくなる。【００９１】
＜呼出ボタン上のマウスカーソル処理・２＞
図７の（ｂ）は、カテゴリ別画面１６Ｂにおいてカーソル１２１によって呼出ボタン１６２１，１６２２，・・・，１６２Ｎをクリックした際の手順を示すフローチャートである。同図に示す通り、クライアント端末１の操作部１２の操作により、呼出ボタン１６２１，１６２２，・・・，１６２Ｎ上のｋ番目（１≦ｋ≦Ｎ）のボタン、例えば図８に示す状態において、マウスカーソル１２１によって上から８番目の呼出ボタン１６２８上がクリックされたとき（ステップＳ４１）、グラフ表示部２１１は、現在グラフ表示領域１６３に表示されているグラフの表示を継続させる。具体的には、呼出ボタン固定フラグが“Ｆａｌｓｅ”であれば（ステップＳ４２の“Ｙｅｓ”）、グラフ表示部２１１は呼出ボタン固定フラグを“Ｔｒｕｅ”とし、呼出ボタン表示領域１６２の表示態様を変化させてクリックされた呼出ボタン１６２８が反転表示されたままの状態とし、簡易解説読み込みフラグを“Ｆａｌｓｅ”に設定する（ステップＳ４３）。【００９２】
一方、呼出ボタン１６２８上がクリックされたときの呼出ボタン固定フラグが“Ｆａｌｓｅ”でなければ（ステップＳ４２の“Ｎｏ”）、グラフ表示部２１１は呼出ボタン固定フラグを“Ｆａｌｓｅ”とし、呼出ボタン表示領域１６２の表示態様を変化させて特定の呼出ボタン（例えば呼出ボタン１６２２）が反転表示されたままの状態を解除する（ステップＳ４４）。【００９３】
このような手順により、例えば図１０に示すようにマウスカーソル１２１を任意例えば８番目の呼出ボタン１６２８上から離しても、当該呼出ボタン１６２８上にマウスカーソル１２１が存在するときと同じグラフ２５３ａをグラフ表示領域１６３に表示させ続けることが可能になる。【００９４】
＜グラフ上のマウスカーソル処理・１＞
図９の（ａ）は、グラフ表示領域１６３に簡易解説情報２５８を表示させる際の手順を示すフローチャートである。同図に示す通り、クライアント端末１の操作部１２の操作により、マウスカーソル１２１がグラフ上（折れ線グラフの折れ線上、棒グラフの棒上）に形成された特定のポイントＰ（あるいはポイントＱ、ポイントＲ、ポイントＳ）上にマウスオーバーしたとき（ステップＳ５１）、グラフ表示部２１１は当該ポイントＰ（あるいはポイントＱ、ポイントＲ、ポイントＳ）に関連付けられた簡易解説情報２５８をポップアップ表示させる。具体的には、グラフ表示部２１１は、図１０に示すように第一グラフ表示領域１６３１〜第四グラフ表示領域１６３４に表示されたグラフ２５３ｉ（ｉ＝１〜４）上（ここでは、図１０に示す通り第一グラフ表示領域１６３１に表示されたグラフをグラフ２５３ｉとして以下説明する。）の線上に設けられた特定のポイントＰ、例えばポイントＰ１上にマウスオーバーしたとき、クライアント端末１のメモリ（ＲＡＭ）の配列に形成された当該ポイントＰ１の簡易解説読込みフラグが“Ｆａｌｓｅ”である場合（ステップＳ５２“Ｙｅｓ”）、マウスカーソル１２１がマウスオーバーしているポイントＰ１のＩＤ情報２５６及び簡易解説情報２５８のファイル名情報２５８ｂを元に、対応する簡易解説情報２５８のファイルデータ２５８ａを指標毎コンテンツ保管部２２２から読み込んで、クライアント端末１のメモリに保持させる。このとき、この実施の形態においては、グラフ表示部２１１は、マウスカーソル１２１がマウスオーバーしているポイントＰ１が関連付けられたグラフデータ２５３に関連付けられている全てのポイント（この場合はポイントＰ２，・・・，ポイントＰＷ）に対応する全ての簡易解説情報２５８のファイルデータ２５８ａも一緒にクライアント端末１のメモリに保持させる。【００９５】
そして、グラフ表示部２１１は簡易解説読込みフラグを“Ｔｒｕｅ”にする（ステップＳ５３）。そして、グラフ表示部２１１は、当該ポイントＰ１の簡易解説情報２５８をポップアップに設定し、グラフ表示領域１６３上にポップアップ表示させる（ステップＳ５４）。【００９６】
一方、クライアント端末１のメモリに形成された当該ポイントＰ１の簡易解説読込みフラグが“Ｆａｌｓｅ”ではない場合（ステップＳ５２の“Ｎｏ”）は、グラフ表示部２１１は、ステップＳ５３の手順を経ずに当該ポイントＰ１の簡易解説情報２５８をポップアップに設定し、グラフ表示領域１６３上にポップアップ表示させる（ステップＳ５４）。【００９７】
図１０は、上記の手順に基づいて、Ｗｅｂブラウザ１３１においてグラフ表示領域１６３上に簡易解説情報２５８が表示された状態を示すイメージ図である。同図に示す通り、マウスカーソル１２１がマウスオーバーしたポイントＰ１に関連付けられた簡易解説情報２５８はグラフ表示領域１６３上にテキスト表示される。【００９８】
なお、グラフ２５３ｉ上の他のポイントＰ２，・・・ＰＷ、あるいは第二グラフ２５３２ａ上のポイントＱ、第三グラフ２５３３ａ上のポイントＲ、第四グラフ２５３４ａ上のポイントＳ上にマウスカーソル１２１がマウスオーバーしたときも、ステップＳ５１〜Ｓ５４の手順に示す処理が行われ、当該ポイントＰ２，・・・，ＰＷ，Ｒ，Ｓに関連付けられた簡易解説情報２５８がポップアップ表示される。【００９９】
＜グラフ上のマウスカーソル処理・２＞
図９の（ｂ）は、グラフ表示領域１６３上に簡易解説情報２５８が表示された状態において、マウスカーソル１２１が特定のポイントＰ、例えばポイントＰ１上から離れたときの処理手順を示すフローチャートである。同図に示す通り、ステップＳ５４の状態において、マウスカーソル１２１がマウスオーバーされた特定のポイントＰ、例えばポイントＰ１の上から離れたとき（ステップＳ６１）、グラフ表示部２１１は簡易解説情報２５８を非表示とする（ステップＳ６２）。【０１００】
即ち、図１０に示すようにポイントＰ１にマウスカーソル１２１がマウスオーバーした状態ののち、ポイントＰ１上からマウスカーソル１２１が離れた状態となったときは、同図に表示された簡易解説情報２５８が非表示の状態になる。【０１０１】
そして、ステップＳ５１〜Ｓ５４の処理により、マウスカーソル１２１がマウスオーバーしたポイントＰ、Ｑ、Ｒ、Ｓに関連付けられた簡易解説情報２５８がポップアップ表示され、ステップＳ６１〜Ｓ６２の処理によってポップアップ表示された簡易解説情報２５８が非表示になることにより、グラフ２５３ａ上においてマウスカーソル１２１を移動させることで、当該グラフ２５３ａに関連付けられた簡易解説情報２５８が瞬時かつ順次に変更されていくことになる。これにより、クライアント端末１の表示部１３のＷｅｂブラウザ１３１上に表示される簡易解説情報２５８を連続的かつスピーディに切り替えることができる。【０１０２】
＜グラフ上のマウスカーソル処理・３＞
図９の（ｃ）は、グラフ表示領域１６３上に表示された特定のグラフ２５３ａのグラフ上（折れ線グラフの折れ線上、棒グラフの棒上）に形成されたポイントＰがクリックされたときの処理手順を示すフローチャートである。【０１０３】
同図に示す通り、クライアント端末１の操作部１２の操作により、マウスカーソル１２１がグラフ上（折れ線グラフの折れ線上、棒グラフの棒上）に形成された特定のポイントＰ（あるいはポイントＱ、ポイントＲ、ポイントＳ）上でクリックされたとき、詳細情報表示部２１６は当該クリックされたポイントＰ（あるいはポイントＱ、ポイントＲ、ポイントＳ）に関連付けられた詳細情報２５７をＷｅｂブラウザ１３１上に表示させる。具体的には、詳細情報表示部２１６は、第一グラフ表示領域１６３１〜第四グラフ表示領域１６３４に表示されたグラフ２５３ｉ（ｉ＝１〜４）上（ここでは、図１０に示す通り第一グラフ表示領域１６３１に表示されたグラフをグラフ２５３ｉとして以下説明する。）の線上に設けられた特定のポイントＰ、例えばポイントＰ１上がクリックされたとき、（ステップＳ７１）、詳細情報表示部２１６は、クリックされたポイントＰ１のＩＤ情報２５６とファイル名情報２５７ｂを元に、指標毎コンテンツ保管部２２２から当該ポイントＰ１に関連付けられたファイルデータ２５７ａを取得し、このファイルデータ２５７ａを詳細情報２５７として表示する（ステップＳ７２）。【０１０４】
図１１に、Ｗｅｂブラウザ１３１上に表示される詳細情報２５７のイメージ図を示す。同図に示す通り、詳細情報２５７は、第一グラフ表示領域１６３１に表示されたグラフ２５３ｉの線上に設けられたポイントＰ１の示すものを詳細に解説するテキスト情報が併記されている。クライアント端末１を利用する投資家等はこの詳細情報２５７を見て理解を深め、より的確に投資の判断を行うことができる。【０１０５】
なお、グラフ２５３ｉ上の他のポイントＰ２，・・・ＰＷ、あるいは第二グラフ２５３２ａ上のポイントＱ、第三グラフ２５３３ａ上のポイントＲ、第四グラフ２５３４ａ上のポイントＳ上をクリックしたときも、ステップＳ７１〜Ｓ７２の手順に示す処理が行われ、当該ポイントＰ２，・・・，ＰＷ，Ｒ，Ｓに関連付けられた詳細情報２５７が表示される。【０１０６】
以上、この実施の形態においては、Ｗｅｂサーバであるグラフ表示装置２に経済統計データに基づいて形成されたグラフ２５３ａ及びグラフ２５３ａの属性情報が記録された指標毎コンテンツ保管部２２２を設けたことにより、経済統計データを視覚的に把握し易いグラフ情報としてクライアント端末１に提供することができる。また、指標毎コンテンツ保管部２２２に記録されたグラフ２５３ａを表示部１３に設けられたグラフ表示領域１６３の特定位置に表示させるグラフ表示部２１１を設けたことにより、経済統計データに基づくグラフをクライアント端末に表示させることができる。また、グラフ表示領域１６３に表示可能な個々のグラフ２５３ａに対応付けられたグラフ２５３ａをグラフ表示領域１６３に表示させるための呼出ボタン１６２１，１６２２，・・・，１６２Ｎを、クライアント端末１の表示部１３に設けられた呼出ボタン表示領域１６２に複数整列させて表示させる呼出ボタン表示部２１２を設け、クライアント端末１の操作部１２によって入力された任意の呼出ボタン１６２１，１６２２，・・・，１６２Ｎに対する呼出指示に基づいて、グラフ表示領域１６３に表示されるグラフ２５３ａを呼出指示が入力された呼出ボタン１６２１，１６２２，・・・，１６２Ｎに関連付けられたグラフ２５３ａに置換するグラフ表示切替部２１３を備えたことにより、複数のグラフ２５３ａのうち表示させたいグラフ２５３ａを迅速かつ的確に選択して表示させることができる。また、置換されたグラフ２５３ａは必ずグラフ表示領域１６３の特定領域に表示されることになるため、複数のグラフ２５３ａの視覚的、感覚的な比較対照が行いやすくなる。また、複数のグラフ２５３ａのうち必要なグラフ２５３ａだけをグラフ表示領域１６３に表示させることができるので、比較対照させるグラフ２５３ａの数が多くても、表示手段上に見やすく表示させることができる。これにより、経済統計データによって形成されたグラフを見やすく、かつ適切な相互比較がしやすい態様で容易かつ迅速にグラフ表示領域１６３上に表示できる。【０１０７】
この実施の形態においては、指標毎コンテンツ保管部２２２には、個々のグラフ２５３ａが示す情報の種類等に基づいて形成されたトピック情報２５２であってグラフ２５３ａ毎に属性情報として関連付けられたトピック情報２５２が記録され、呼出ボタン表示部２１２は、個々のグラフ２５３ａに関連付けられたトピック情報２５２を呼出ボタン１６２１，１６２２，・・・，１６２Ｎに対応付けて呼出ボタン表示領域１６２に表示させ、グラフ表示切替部２１３は、呼出指示のあった呼出ボタン１６２１，１６２２，・・・，１６２Ｎに対応付けられた属性情報に基づいて、グラフ表示領域１６３に表示されるグラフ２５３ａを属性情報に関連付けられたグラフ２５３ａに置換することにより、グラフ２５３ａの意味内容に密接に関連する情報であるトピック情報２５２を個々の呼出ボタン１６２１，１６２２，・・・，１６２Ｎに表示させて、クライアント端末１を利用する投資家等は、この表示されたトピック情報２５２を見ながら所望のグラフ２５３ａをグラフ表示領域１６３に表示させることが可能になる。【０１０８】
この実施の形態においては、グラフ表示部２１１は、クライアント端末１の操作部１２から入力された、任意のグラフ２５３ａの表示状態を継続させる旨の指示に基づいて、指示の対象となったグラフ２５３ａの表示を継続させることにより、長時間グラフ表示領域１６３に表示させる必要のあるグラフ２５３ａの表示状態を確実に継続させることができる。【０１０９】
この実施の形態においては、グラフ表示部２１１は、予め対応付けられた複数のグラフである第一グラフ２５３１ａ、第二グラフ２５３２ａ、第三グラフ２５３３ａ、第四グラフ２５３４ａをグラフ表示領域１６３に同時に表示させることにより、関連性の高いグラフである第一〜第四グラフ２５３１ａ〜２５３４ａ同士を一のグラフ表示領域１６３上に同時に表示させることができる。これにより、関連性の高いグラフである第一〜第四グラフ２５３１ａ〜２５３４ａ相互間の比較対照を一層容易にできる。【０１１０】
この実施の形態においては、グラフ表示部２１１は横軸の座標が時間情報であるグラフ２５３ａを形成し、グラフ表示部２１１は、グラフ表示領域１６３において同一位置に表示されるグラフを横軸の位置及びスケールが全て略同一になるように表示させることにより、時系列データである経済統計データのグラフにおいて、グラフ表示領域１６３に表示される際の時間軸のスケールと、表示位置とを全て略一致させることができる。これにより、グラフ表示領域１６３に表示される全てのグラフ２５３ａの時間情報を揃えた状態で、グラフ２５３ａ相互間の情報を視覚的に容易に比較対照することが可能になって、グラフ２５３ａ相互間の視覚的、感覚的な比較対照を一層容易にできる。【０１１１】
この実施の形態においては、グラフ表示部２１１は、グラフ表示領域１６３において同一位置に表示されるグラフ２５３ａを、縦軸の位置及び長さが略同一になるように表示させることにより、グラフ表示領域１６３に同一位置に表示させるグラフ２５３ａの高さ方向大きさを全て略一致させることができる。これにより、グラフ２５３ａ相互間の視覚的、感覚的な比較対照を一層容易にできる。【０１１２】
この実施の形態においては、指標毎コンテンツ保管部２２２には、複数のトピック情報２５２を包含するグラフ２５３ａ毎に属性情報として関連付けられたカテゴリ情報２５１が記録され、グラフ表示領域１６３及び呼出ボタン表示領域１６２を含むカテゴリ表示領域をクライアント端末１の表示部１３におけるＷｅｂブラウザ１３１に表示させるカテゴリ情報表示部２１４と、クライアント端末１の操作部１２から入力された、任意のカテゴリ情報に対する表示指示に基づいて、カテゴリ表示領域１６３ａに表示されるカテゴリ情報２５１を表示指示の対象となったカテゴリ情報２５１に置換するカテゴリ表示切替部２１５とを備えたことにより、グラフ２５３ａの意味内容ごとに複数のグループに分けてクライアント端末１にグラフ２５３ａを表示させることが可能になる。また、投資家等は、グラフ２５３ａの意味内容に密接に関連する情報であるカテゴリ情報２５１によって所望の情報を検索することが可能になる。これにより、一層迅速かつ容易にグラフの選択が行なえるのみならず、複雑な経済統計データを金融商品に即したカテゴリとトピックに整理でき、投資家等は投資判断に必要な情報を容易に得られ、的確に判断することができる。【０１１３】
この実施の形態においては、指標毎コンテンツ保管部２２２に記録されたグラフ２５３ａについて、グラフ２５３ａが示す情報の詳細を表す情報であってグラフ２５３ａ毎に属性情報として関連付けられた詳細情報２５７をクライアント端末１の操作部１２からの指示に基づいてクライアント端末１の表示部１３に表示させる詳細情報表示部２１６を備えたことにより、投資家等はグラフ２５３ａの示す情報の詳細や関連情報を容易に把握し、投資の如何を判断することができる。【０１１４】
上記実施形態においては、グラフ表示装置２は、クライアント・サーバ型のコンピュータシステムにおけるサーバ装置として形成したが、スタンドアロンのコンピュータとして形成することもできる。【０１１５】
上記実施形態は例示であり、本発明が上記実施形態にのみ限定されることを意味するものではないことは、いうまでもない。
【符号の説明】
【０１１６】
１，１１，１２，・・・１ｎ・・・クライアント端末
２・・・グラフ表示装置
１２・・・操作部（操作手段）
１３・・・表示部（表示手段）
１２１・・・マウスカーソル（操作手段）
１６２・・・呼出ボタン表示領域（トピック表示領域）
１６２１，１６２２，・・・，１６２ｋ，１６２Ｎ・・・呼出ボタン
２１１・・・グラフ表示部（グラフ表示手段）
２１２・・・呼出ボタン表示部（呼出ボタン表示手段）
２１３・・・グラフ表示切替部（グラフ表示切替手段）
２１４・・・カテゴリ情報表示部（カテゴリ情報表示手段）
２１５・・・カテゴリ表示切替部（カテゴリ表示切替手段）
２１６・・・詳細情報表示部（詳細情報表示手段）
２２２・・・指標毎コンテンツ保管部（記録手段）
２５１・・・カテゴリ情報
２５２・・・トピック情報
２５３ａ，２５３１ａ，２５３２ａ，２５３３ａ，２５３４ａ，２５３ｉ・・・グラフ
２５７，２５７ａ・・・詳細情報
２５８，２５８ａ・・・簡易解説情報
【図１】
2008126245.tif 000003
【図２】
2008126245.tif 000004
【図３】
2008126245.tif 000005
【図４】
2008126245.tif 000006
【図５】
2008126245.tif 000007
【図６】
2008126245.tif 000008
【図７】
2008126245.tif 000009
【図８】
2008126245.tif 000010
【図９】
2008126245.tif 000011
【図１０】
2008126245.tif 000012
【図１１】
2008126245.tif 000013
【国際調査報告】
2008126245.tif 000014
2008126245.tif 000015
2008126245.tif 000016
2008126245.tif 000017